(57)【特許請求の範囲】
【請求項１】
モバイル端末のケース上の開孔を塞ぐためのプラグであって、
蓋体と、位置決めリンクと、孔防水凸状リブと、を備え、
前記位置決めリンクが前記蓋体の側壁の外側に設けられて前記蓋体を一周し、前記孔防水凸状リブが該蓋体の下端に設けられて下方へ延長する、モバイル端末の防水プラグ。
【請求項２】
垂直に前記蓋体の下端に設けられる柱状体と、前記柱状体の側壁に設けられて前記柱状体の側壁を一周する柱状体防水凸状リブと、を更に備え、
前記柱状体は垂直方向に沿って下方へ延長する、請求項１に記載のモバイル端末の防水プラグ。
【請求項３】
前記柱状体は、前記柱状体の前記蓋体から離れる一端に設けられる柱状体位置決め輪を更に備える、請求項２に記載のモバイル端末の防水プラグ。
【請求項４】
二段成形によってプラスチックとフレキシブルグルーから構成され、前記蓋体の上端面がプラスチックであり、前記蓋体の下端、前記位置決めリンク、前記孔防水凸状リブ、前記柱状体、前記柱状体防水凸状リブ、前記柱状体位置決め輪はいずれもフレキシブルグルーである、請求項３に記載のモバイル端末の防水プラグ。
【請求項５】
前記プラスチックはＰＣプラスチック（Ｐｏｌｙｃａｒｂｏｎａｔｅ：ポリカーボネート）又はＡＢＳプラスチック（Ａｃｒｙｌｏｎｉｔｒｉｌｅ  Ｂｕｔａｄｉｅｎｅ  Ｓｔｙｒｅｎｅ：アクリロニトリルーブタジエンースチレンの共重合体）又はＰＣ＋ＡＢＳ混合プラスチックである、請求項４に記載のモバイル端末の防水プラグ。
【請求項６】
前記フレキシブルグルーは、シリカゲル又はＴＰＵ（Ｔｈｅｒｍｏｐｌａｓｔｉｃ  ｐｏｌｙｕｒｅｔｈａｎｅ：熱可塑性ポリウレタンエラストマー）である、請求項４に記載のモバイル端末の防水プラグ。
【請求項７】
前記蓋体の側壁の外側に溝が形成される、請求項１乃至４の中のいずれかに記載のモバイル端末の防水プラグ。
【発明の詳細な説明】
【技術分野】
【０００１】
本発明は、モバイル端末のポートのプラグに関し、特に、モバイル端末の防水プラグに関するものである。
【背景技術】
【０００２】
電子機器の普及に伴って、モバイル端末は既に人々の日常生活で不可欠な物になっていて、使用中に、不注意で水が入って、一連の不便が続くことがさけられない。
【０００３】
従って、防水機能を具備するモバイル端末製品が開発されていて、今の販売市場においてこのようなモバイル端末はますます多くなっていて、防水信頼性や防水レベルに対する要求もますます高まっている。例えば、特許番号ＣＮ１０１１７９６０８（発明名称：Ｉ／Ｏ（Ｉｎｐｕｔ／Ｏｕｔｐｕｔ）コネクタにて防水機能を具備する携帯電話）に開示された発明は、プラグの一端を固定し、他端を脱着可能にし、プラグのフレキシブルグルー部分はケースに挿入可能であって、ケースの孔開け側の壁と締まりばめして防水作用（側圧防水）を実現しているが、フレキシブルグルー材が柔らかいので、強度やじん性が弱く、プラグを繰り返して押圧すると、破れやすいので、機器の防水性能に影響を与えてしまう。そして、当該技術案によると、Ｉ／Ｏ（Ｉｎｐｕｔ／Ｏｕｔｐｕｔ）素子周りのケースを拡大してプラグのフレキシブルグルー部分を収容しなければならなく、一方、工程上の制限を受けて、プラグ本体の外周面がプラグフレキシブルグルーよりある程度長いので、このように設計されるプラグの面積は大きい。
【０００４】
他の技術案として、例えば特許番号ＣＮ２０１０４２０２０（発明名称：携帯型モバイル端末の外部対象ポートの防水装置）に開示された技術案は、補助のねじでプラグを締めて防水効果を実現し、本技術案によると、プラグの面積を増やすと共に、ねじで締めなければならないので、モバイル端末の体積や形状を影響し、ますます高まっている小型化需要を満たすことができない。
【０００５】
よって、モバイル端末の体積、美しさと有効な防水効果を保持できる小型化で、丈夫且つ脱着に便利な防水プラグを提示することは、当該分野の当業者が早急解決すべき問題となった。
【発明の概要】
【発明が解決しようとする課題】
【０００６】
本発明が解決しようとする技術課題は、既存技術においてモバイル端末の防水プラグの面積が大きく、フレキシブルグルーの弾力によって側面から張り出されやすく、ねじで締める構造である等の欠陥を解消するため、ケースに垂直に挿入されるモバイル端末の防水プラグを提供することである。
【課題を解決するための手段】
【０００７】
本発明の実施例は以下の技術案によって上述した技術課題を解決する：モバイル端末のケース上の開孔を塞ぐためのプラグであって、蓋体と、位置決めリンクと、孔防水凸状リブと、を備え、前記位置決めリンクが前記蓋体の側壁の外側に設けられて前記蓋体を一周し、前記孔防水凸状リブが該蓋体の下端に設けられて下方へ延長するモバイル端末の防水プラグを提供する。
【０００８】
該防水プラグは、垂直に前記蓋体の下端に設けられる柱状体と、前記柱状体の側壁に設けられて前記柱状体の側壁を一周する柱状体防水凸状リブと、を更に備え、前記柱状体は垂直方向に沿って下方へ延長することが好ましい。
【０００９】
前記柱状体は、前記柱状体の前記蓋体から離れる一端に設けられる柱状体位置決め輪を更に備えることが好ましい。
【００１０】
前記防水プラグが、二段成形によってプラスチックとフレキシブルグルーから構成され、前記蓋体の上端面はプラスチックで、前記蓋体の下端、前記位置決めリンク、前記孔防水凸状リブ、前記柱状体、前記柱状体防水凸状リブ、前記柱状体位置決め輪はいずれもフレキシブルグルーであることが好ましい。
【００１１】
前記プラスチックはＰＣプラスチック（Ｐｏｌｙｃａｒｂｏｎａｔｅ：ポリカーボネート）又はＡＢＳプラスチック（Ａｃｒｙｌｏｎｉｔｒｉｌｅ  Ｂｕｔａｄｉｅｎｅ  Ｓｔｙｒｅｎｅ：アクリロニトリルーブタジエンースチレンの共重合体）又はＰＣ＋ＡＢＳ混合プラスチックであることが好ましい。
【００１２】
前記フレキシブルグルーは、シリカゲル又はＴＰＵ（Ｔｈｅｒｍｏｐｌａｓｔｉｃ  ｐｏｌｙｕｒｅｔｈａｎｅ：熱可塑性ポリウレタンエラストマー）であることが好ましい。
【００１３】
前記蓋体の側壁の外側に溝が形成されることが好ましい。
【発明の効果】
【００１４】
本発明の上記実施例において主に、既存技術におけるモバイル端末の防水プラグが本体側で押圧閉鎖し、側壁で締まりばめする構造を垂直に閉鎖して押圧防水する構造に変更する方式によって、防水効果を向上させ、防水プラグの面積が大きく、フレキシブルグルーの弾力によって側面から張り出されやすく、ねじで締める構造である欠陥を回避できる。
【００１５】
本発明の上記実施例の積極的な効果は以下のようである：モバイル端末の防水プラグが側押圧構造における固定点が小さく、プラグがフレキシブルグルーの弾力によって側面から張り出されやすい問題を回避して、モバイル端末の防水効果を向上させると共に、防水プラグの面積を縮小し、プラグを固定するねじを省略できる。
【図面の簡単な説明】
【００１６】
【図１】本発明の実施例における防水プラグの斜視図である。
【図２】本発明の実施例における防水プラグに対応するモバイル端末のケースの開孔構造を示す図である。
【図３】本発明の実施例における防水プラグとモバイル端末のケースとの組み立て図である。
【図４】本発明の実施例における防水プラグとモバイル端末のケースとを組み立てした後の縦方向断面図である。
【発明を実施するための形態】
【００１７】
以下、本発明の技術案を詳しく説明するため、図面を結合して本発明の好適な実施例を提示する。
【００１８】
本発明の実施例において、モバイル端末の防水プラグを提供し、図１に示すように、蓋体１１と、位置決めリンク１２と、孔防水凸状リブ１３と、を備え、位置決めリンク１２は蓋体１１の側壁の外側に設けられて蓋体１１を一周し、孔防水凸状リブ１３は蓋体１１の下端に設けられて下方へ延長する。
【００１９】
本発明の他の実施例において、上記実施例における防水プラグに結合されるモバイル端末のケースを提供し、図２に示すように、該ケースは、Ｉ／Ｏ（Ｉｎｐｕｔ／Ｏｕｔｐｕｔ）素子孔２１と、組み立て孔２２と、固定溝２３と、を備え、固定溝２３は位置決めリンク１２に結合されて防水プラグを固定する。孔防水凸状リブ１３の位置はモバイル端末のケース２上のＩ／Ｏ素子孔２１に対応する。
【００２０】
上記実施形態の更なる改善として、上記実施例中の防水プラグに柱状体１４が設けられ、柱状体１４は垂直に蓋体１１の下端に設けられて下方へ延長し、柱状体１４に柱状体防水凸状リブ１５が設けられていて柱状体１４を一周し、柱状体防水凸状リブ１５がケース２上の組み立て孔２２に対応して締まりばめされて、前記組み立て孔の防水効果を実現する。
【００２１】
図３に示すように、孔防水凸状リブ１３によって囲まれた領域は該素子孔２１の領域サイズより大きく、上記実施形態の更なる改善として、孔防水凸状リブ、柱状体、柱状体防水凸状リブ、柱状体位置決め輪はいずれもフレキシブルグルーからなり、例えばシリカゲル、ＴＰＵ等のフレキシブルグルー材料からなり、蓋体の上端はプラスチックからなり、プラスチックはＰＣプラスチック（Ｐｏｌｙｃａｒｂｏｎａｔｅ：ポリカーボネート）又はＡＢＳプラスチック（Ａｃｒｙｌｏｎｉｔｒｉｌｅ  Ｂｕｔａｄｉｅｎｅ  Ｓｔｙｒｅｎｅ：アクリロニトリルーブタジエンースチレンの共重合体）又はＰＣ＋ＡＢＳ混合プラスチックであって、孔防水凸状リブを取り付ける時、蓋体１１を押圧し、該携帯電話のケース２に密着されて防水の効果を実現する。蓋体１１は該柱状体１４を介してケース２に接続され、柱状体１４上の位置決め輪１６は蓋体１１上の組み立て孔２２を通過して該ケース２の内部に入り、位置決め輪１６によって固定され、防水プラグ１とケース２の分離を防止し、当該組み立て工程は携帯電話が出荷される前に完成され、組み立てた後の状態は図４に示す通りである。
【００２２】
図４に示すように、前記防水プラグ１は該位置決めリンク１２を介して該ケース２に固定され、前記孔防水凸状リブ１３は押圧されて変形し、該ケース２の表面に密着して該Ｉ／Ｏ素子孔の防水効果を実現する。
【００２３】
上記実施形態の更なる改善として、蓋体の側壁の外側に溝１７を形成して引手として前記防水プラグ１を引き抜きし、指又は工具と協力して使用することができる。
【００２４】
以上、本発明の具体的な実施形態を説明したが、これらは例に過ぎず、本発明の保護範囲は特許請求の範囲によって決められることは当業者は理解できる。当業者は本発明の原理と実質から離脱せずにこれらの実施形態にさまざまな変形又は修正を行うことができるが、このような変形や修正はいずれも本発明の保護範囲に属される。
【産業上の利用可能性】
【００２５】
本発明の実施例で提供する技術案をモバイル端末の防水に応用して、モバイル端末の防水効果を向上させ、コストを節約できる。
【図１】
0006381651.tif 000002
【図２】
0006381651.tif 000003
【図３】
0006381651.tif 000004
【図４】
0006381651.tif 000005